(57)【要約】【課題】コストダウンを実現する。【解決手段】付属しない市販乾電池８を交換可能に収容する本体５と、その本体５に一体的又は個別に設けられ、携帯電話機２のインターフェイスコネクタ３の嵌合凹部４に嵌合される接続コネクタ１０と、その接続コネクタ１０に取り付けられ、該接続コネクタ１０が前記嵌合凹部４に嵌合されたとき、前記本体５に収容された乾電池８と前記インターフェイスコネクタ３を介して前記携帯電話機２の内蔵電池とを接続して該内蔵電池を充電する接触端子２３、２４と、を備える。【選択図】        図２
2004208261.tif 000002
【特許請求の範囲】
【請求項１】
付属しない市販乾電池を交換可能に収容する本体と、その本体に一体的又は個別に設けられ、携帯電話機のインターフェイスコネクタの嵌合凹部に嵌合される接続コネクタと、その接続コネクタに取り付けられ、該接続コネクタが前記嵌合凹部に嵌合されたとき、前記本体に収容された乾電池と前記インターフェイスコネクタを介して前記携帯電話機の内蔵電池とを接続して該内蔵電池を充電する接触端子と、を備えたことを特徴とする携帯電話機用レスキュ電源ホルダー。
【請求項２】
付属しない市販乾電池を交換可能に収容する本体と、その本体にケーブルを介して設けられ、携帯電話機のインターフェイスコネクタの嵌合凹部に嵌合される接続コネクタと、その接続コネクタに取り付けられ、該接続コネクタが前記嵌合凹部に嵌合されたとき、前記本体に収容された乾電池と前記インターフェイスコネクタを介して前記携帯電話機の内蔵電池とを接続して該内蔵電池を充電する接触端子と、を備えたことを特徴とする携帯電話機用レスキュ電源ホルダー。
【請求項３】
前記接触端子と前記本体に収容された市販乾電池の電極に接続される接続端子とが一体的に形成されている請求項１又は２に記載の携帯電話機用レスキュ電源ホルダー。
【請求項４】
前記嵌合凹部が、断面ほぼ細長の矩形状に形成され、前記接続コネクタが、断面ほぼ細長の矩形状に形成され、該接続コネクタの対向する壁部間の間隔が短い方の両壁部の幅が、前記対向する嵌合凹部の幅より大きく形成され、該接続コネクタの両壁部に、前記対向する嵌合凹部の幅以下に弾性変形させるスリットをそれぞれ設けた請求項１乃至３のいずれか１項に記載の携帯電話機用レスキュ電源ホルダー。
【請求項５】
前記接続コネクタに、前記嵌合凹部への挿嵌を案内する嵌合案内部を設けた請求項４に記載の携帯電話機用レスキュ電源ホルダー。
【請求項６】
前記本体が、前記市販乾電池を収容する第１ケースと第２ケースとからなり、前記接続コネクタが、前記スリットを形成する２つのスリット壁部が別々となるように２つに分割され、これら分割された一方の第１コネクタが前記第１ケースに一体的に形成されていると共に、残りの第２コネクタが前記第２ケースに一体的に形成されている請求項４又は５に記載の携帯電話機用レスキュ電源ホルダー。
【請求項７】
前記市販乾電池が、単１乾電池、単２乾電池、単３乾電池又は単４乾電池であり、前記本体が、前記市販乾電池を３本以上接続して収容する請求項１乃至６のいずれか１項に記載の携帯電話機用レスキュ電源ホルダー。
【請求項８】
前記本体が、単３乾電池又は単４乾電池を３本又は４本直列接続して収容する請求項１乃至６のいずれか１項に記載の携帯電話機用レスキュ電源ホルダー。
【発明の詳細な説明】
【０００１】
【発明の属する技術分野】
本発明は、電池を付属しない携帯電話機用レスキュ電源ホルダーに関するものである。
【０００２】
【従来の技術】
携帯電話機は、電源としてリチウム電池やニッカド電池などの二次電池である充電可能な電池（バッテリー）を内蔵している。電池切れの場合には、通常、付属している充電器を用いて商用電源（ＡＣ電源）等から内蔵電池の充電を行っている。
【０００３】
付属等の充電器は、携帯することを前提するものではなく家庭等の所定の場所に置いて使用するものであり、携帯に適さず、しかも、商用電源がない場所では役に立たない。このため、内蔵電池の残量が少なくなると予め充電器を用いて充電を行なう必要があるが、常に残量を気にするわけではなく、残量が少ない状態や電池切れの状態のまま外出することもあり、外出時、電池切れが起こり携帯電話機を使用することができなくなってしまうことがある。特に、近年、内蔵電池は、１回の充電で長時間の使用が可能になってきているので、残量を気にする頻度が少なくなり、電池切れを起こすことが多くなると思われる。
【０００４】
このため、外出先でも簡単に内蔵電池の充電を行え、携帯性に優れた図１６及び図１７に示すような携帯電話機用充電器８０を提案した。
この携帯電話機用充電器８０は、市販の乾電池例えば単４乾電池３本を交換可能に収容する本体８１と、その本体８１の開口部を開閉する蓋８２と、本体８１に取り付けられ、単４乾電池を直列接続するための連結端子８３、８４及び直列接続した乾電池のプラス電極とマイナス電極とに接続される２つの接続端子８５、８６と、携帯電話機のインターフェイスコネクタに嵌合される接続コネクタ８７と、その接続コネクタ８７に取り付けられ、携帯電話機のインターフェイスコネクタに電気的に接続される接触端子８８、８９と、その接触端子８８、８９と接続端子８５、８６とを接続する接続部材９０、９１と、を備えたものである。この携帯電話機用充電器８０の本体８１に単４乾電池３本を収容し、接続コネクタ８７を携帯電話機のインターフェイスコネクタに嵌合する。これにより、単４乾電池と携帯電話機の内蔵電池とが電気的に接続されて、乾電池によって携帯電話機の内蔵電池が充電される。
【０００５】
【発明が解決しようとする課題】
しかし、前述の携帯電話機用充電器は、本体、連結端子、接続端子、接続コネクタ、接触端子、接続部材からなるため部品点数が比較的多く、コストダウンを図り難い。また、接続コネクタは、図１６及び図１７に示すように、両側面に係止部材である板ばね９２、９２をそれぞれ取り付けて、板ばね９２のばね部が携帯電話機のインターフェイスコネクタの嵌合凹部の内壁と係合して、インターフェイスコネクタに係止される。このため、板ばね９２は接続コネクタ８７とは別部材の例えば金属製の断面ほぼρ状に成形されているので、さらに部品点数が増えると共に、板ばね９２を接続コネクタ８７の両側面に取り付けるための作業が必要になってしまう。
【０００６】
そこで、本発明は、このような実情に鑑みなされたものであり、その目的は、コストダウンを実現することができる携帯電話機用レスキュ電源ホルダーを提供することにある。
【０００７】
【課題を解決するための手段】
前記目的を達成するために、本発明の携帯電話機用レスキュ電源ホルダーは、付属しない市販乾電池を交換可能に収容する本体と、その本体に一体的又は個別に設けられ、携帯電話機のインターフェイスコネクタの嵌合凹部に嵌合される接続コネクタと、その接続コネクタに取り付けられ、該接続コネクタが前記嵌合凹部に嵌合されたとき、前記本体に収容された乾電池と前記インターフェイスコネクタを介して前記携帯電話機の内蔵電池とを接続して該内蔵電池を充電する接触端子と、を備えたものである。
【０００８】
また、本発明の携帯電話機用レスキュ電源ホルダーは、付属しない市販乾電池を交換可能に収容する本体と、その本体にケーブルを介して設けられ、携帯電話機のインターフェイスコネクタの嵌合凹部に嵌合される接続コネクタと、その接続コネクタに取り付けられ、該接続コネクタが前記嵌合凹部に嵌合されたとき、前記本体に収容された乾電池と前記インターフェイスコネクタを介して前記携帯電話機の内蔵電池とを接続して該内蔵電池を充電する接触端子と、を備えたものである。
【０００９】
前記接触端子と前記本体に収容された市販乾電池の電極に接続される接続端子とが一体的に形成されていることが好ましい。
前記嵌合凹部が、断面ほぼ細長の矩形状に形成され、前記接続コネクタが、断面ほぼ細長の矩形状に形成され、該接続コネクタの対向する壁部間の間隔が短い方の両壁部の幅が、前記対向する嵌合凹部の幅より大きく形成され、該接続コネクタの両壁部に、前記対向する嵌合凹部の幅以下に弾性変形させるスリットをそれぞれ設けることが好ましい。
前記接続コネクタに、前記嵌合凹部への挿嵌を案内する嵌合案内部を設けることが好ましい。
【００１０】
前記本体が、前記市販乾電池を収容する第１ケースと第２ケースとからなり、前記接続コネクタが、前記スリットを形成する２つのスリット壁部が別々となるように２つに分割され、これら分割された一方の第１コネクタが前記第１ケースに一体的に形成されていると共に、残りの第２コネクタが前記第２ケースに一体的に形成されていることが好ましい。
前記市販乾電池が、単１乾電池、単２乾電池、単３乾電池又は単４乾電池であり、前記本体が、前記市販乾電池を３本以上接続して収容することが好ましい。
前記本体が、単３乾電池又は単４乾電池を３本又は４本直列接続して収容することが好ましい。
【００１１】
【発明の実施の形態】
以下、本発明の実施の形態を添付図面に基づいて詳述する。
図１乃至図３は本発明の第１の携帯電話機用レスキュ電源ホルダーが示されている図である。図１乃至図３において、１はレスキュ電源ホルダーを示し、このレスキュ電源ホルダー１は、携帯電話機２の内蔵電池（図示せず）を充電するものであり、市販の乾電池が付属しないものである。
【００１２】
携帯電話機２には、通信データの送受信や内蔵されている充電可能な内蔵電池（バッテリー）の充電等を行えるようにインターフェイスコネクタ３（図９参照）が設けられている。
インターフェイスコネクタ３は、メス型のコネクタであり、このコネクタ３には、嵌合凹部４（図１３参照）内に例えば１６個のコネクタ端子を有する端子部（図示せず）が嵌合凹部４の深さ方向に沿って立設されている。インターフェイスコネクタ３は、未使用時、ゴミ等が入らないようにカバー（図示せず）が装着されている。このインターフェイスコネクタ３にレスキュ電源ホルダー１の接続コネクタ１０が挿入されて嵌合される。
【００１３】
レスキュ電源ホルダー１の本体５は、付属しない市販乾電池を収容するが、この市販乾電池としては、単１乾電池、単２乾電池、単３乾電池又は単４乾電池が好ましく、特に好ましくは単３乾電池又は単４乾電池である。これら乾電池は、一次電池でも二次電池でもよく、具体的には例えば、マンガン電池、アルカリ電池などの一次電池やニッケル水素電池、ニカド電池などの充電可能な二次電池等である。
市販乾電池の数は、特に限定されないが、好ましくは３本以上で、特に好ましくは３本又は４本である。すなわち、本発明のレスキュ電源ホルダーは、単３乾電池又は単４乾電池を３本又は４本直列接続して収容することが好ましく、後述するように、単４乾電池８を３本又は４本収容する場合について説明する。
【００１４】
本体５は、収容する市販乾電池の種類、数、大きさによって形状が異なるが、例えば断面矩形、円形、楕円形、多角形等の箱状に形成されている。具体的には例えば、本体５は、その本体５の開口部６を開閉する蓋７と共に、３本の市販されている単４乾電池８を３本並列に収容し得るようにほぼ矩形の箱状に形成されている。この本体５の長手方向の一方の面（取付面）９には、その長手方向に沿って延在する接続コネクタ１０が一体的に設けられている。本体５、蓋７及び接続コネクタ１０の材質は、どのようなものでもよく、絶縁材料、例えばプラスチック等の合成樹脂が用いられる。なお、接続コネクタ１０は、本体５に個別に設けるようにしてもよい。
単４乾電池８は、市販されている単４型の乾電池であり、一次電池でも二次電池でもよく、具体的には例えば、マンガン電池、アルカリ電池などの一次電池やニッケル水素電池、ニカド電池などの充電可能な二次電池等である。
【００１５】
本体５には、一方の側部の単４乾電池（第１乾電池）８ａと中央の単４乾電池（第２乾電池）８ｂとをプラス極が接続コネクタ１０側になるように収容すると共に、残りの単４乾電池（第３乾電池）８ｃをマイナス極が接続コネクタ１０側になるように収容する電池収容部１１が設けられている。
【００１６】
本体５内には、第１乾電池８ａのマイナス極と第２乾電池８ｂのプラス極とを接続する第１連結端子１２が取り付けられている。第１連結端子１２は、第１乾電池８ａのマイナス極に接触する矩形平板状のマイナス接触部１３と、第２乾電池８ｂのプラス極に接触する矩形平板状のプラス接触部１４と、それらマイナス接触部１３とプラス接触部１４とを連結する連結部１５とからなる。
マイナス接触部１３には、ほぼコ字状に切り欠いた切欠部１３ａを設け、この切欠部１３ａを第１乾電池８ａに折り曲げることにより、第１乾電池８ａとの接触状態（電気的接続状態）が良好になるようになっている。
プラス接触部１４のほぼ中央部には、第２乾電池８ｂ側に例えば円形状に突出させた突出部１４ａが設けられており、第２乾電池８ａとの接触状態（電気的接続状態）が良好になるようになっている。
【００１７】
また、本体５内には、第２乾電池８ｂのマイナス極と第３乾電池８ｃのプラス極とを接続する矩形平板状の第２連結端子１６が取り付けられており、第１連結端子１２と第２連結端子１６とにより電池収容部に収容された３本の単４乾電池８ａ、８ｂ、８ｃが直列に接続されるようになっている。第２連結端子１６には、ほぼコ字状に切り欠いた切欠部１６ａと、例えば円形状に突出させた突出部１６ｂとが設けられており、第２、第３乾電池８ｂ、８ｃとの接触状態（電気的接続状態）が良好になるようになっている。
【００１８】
また、本体５内には、プラス端子１７とマイナス端子１８とが取り付けられている。
プラス端子１７及びマイナス端子１８は、第１乾電池８ａのプラス極及び第３乾電池８ａのマイナス極に接触するほぼＵ字状のプラス接触部１９、２０と、そのプラス接触部１９、２０の一端部をプラス接触部１９、２０とはほぼ直交する方向に沿って折り曲げたほぼ平板状の端子基部２１、２２と、その端子基部２１、２２の第２乾電池８ｂ側となる側端部のほぼ中央部からプラス接触部１９、２０側とは反対側の端部までに取り付けられた接触端子２３、２４とからなる。
【００１９】
接触端子２３、２４は、ほぼ矩形平板状に形成されていると共に、端子基部２１、２２とほぼ直交する方向に沿って端子基部２１、２２に取り付けられている。接触端子２３、２４の端子基部２１、２２に取り付けられている側部とは反対側の側部のプラス接触部１９、２０とは反対側が、その側部に沿って延出する延出部２５、２６として形成されている。これら接触端子２３、２４（延出部２５、２６）が接続コネクタ１０内に位置される。
【００２０】
なお、単４乾電池８ａ、８ｂ、８ｃを３本直列に接続した出力電圧が、充電を行う携帯電話機２の内蔵電池を充電し得る充電許容電圧であればよいが、その出力電圧が充電許容電圧でないとき、つまり、携帯電話機２の内蔵電池の充電を行えないときには、例えば、本体５内に電圧調節部（図示せず）を設けることが好ましい。電圧調節部は、単４乾電池８ａ、８ｂ、８ｃを３本直列に接続した出力電圧を、充電を行う携帯電話機機の内蔵電池の充電許容電圧に調節するものであり、例えば、ダイオード、抵抗、レギュレータ、昇圧回路等により構成される。また、電圧調節部は、出力電圧が充電許容電圧でない場合には、それを検出して出力電圧が充電許容電圧になるように調節する調節制御回路を有するようにしてもよい。
【００２１】
接続コネクタ１０は、携帯電話機２のインターフェイスコネクタ３の嵌合凹部４に挿入されて嵌合されるように断面ほぼ細長の矩形状に形成されている。接続コネクタ１０内には、インターフェイスコネクタ３の端子部が嵌合される端子凹部２７が設けられている。端子凹部２７には、一対の端子収容孔２８、２８が連通されていると共に、プラス及びマイナス端子１７、１８の延出部２５、２６を収容する端子収容部２９、２９が設けられており、端子凹部２７に接続コネクタ１０が嵌合されたとき、端子収容部２９、２９に収容された延出部２５、２６がそれぞれ端子部の内蔵電池の外部出入力端子（給電端子）と電気的に接続されて、内蔵電池の充電が行えるようになっている。
延出部２５、２６には、外部出入力端子との接続が確実に行われるように端子凹部２７の内側に突出する突部２５ａ、２６ａを設けることが好ましい。
【００２２】
接続コネクタ１０の壁部であって幅の長い両壁部（両長壁部）１０ａには、嵌合凹部４の長内壁４ａとそれぞれ嵌合し得るように溝や突出した部分が複数設けられている。すなわち、接続コネクタ１０を嵌合凹部４に挿入して嵌合するとき、長壁部１０ａを逆に挿入しようとしても、挿入できないような形状に両長壁部１０ａが形成されている。
長壁部１０ａの幅（長壁部１０ａの外表面の幅）ａは、図９に示すように、対応する嵌合凹部４の長内壁４ａの幅ｂより大きく、好ましくは少し大きく形成されている。
【００２３】
接続コネクタ１０には、インターフェイスコネクタ３に挿嵌したとき、インターフェイスコネクタ３から抜け難くする抜出抑制部（図示せず）を設けることが好ましい。
抜出抑制部は、どのように構成してもよく、例えば、接続コネクタ１０の残りの両壁部（両短壁部）に、インターフェイスコネクタ３の嵌合凹部４を形成する内壁又は内壁に設けられた係合部と係合して接続コネクタ１０を係止する係止部をそれぞれ一体的に又は個別に設けて構成するようにしてもよい。
【００２４】
一体的に設けられる係止部としては、嵌合方向に沿って延在すると共に、短壁部内に可撓可能に形成される。係止部の外表面には、例えば断面ほぼ半円形状の突部（係合突部）が設けられ、この突部が嵌合凹部の内壁の係合部（図示せず）と係合し、接続コネクタ１０がインターフェイスコネクタから抜け難くなる。
【００２５】
抜出抑制部としては、係止部により構成してもよいが、接続コネクタ１０の両短壁部１０ｂに、図１、図３、図１２乃至図１５に示すように、接続コネクタ１０の延在方向に沿って延在し、端子凹部２７に連通されるスリット３０を設けて構成してもよい。この場合、接続コネクタ１０の長壁部の幅（長壁部の外表面の幅）は、対応する嵌合凹部の長内壁の幅より大きく、好ましくは少し大きく形成することがよい。
スリット３０は、接続コネクタ１０の長壁部１０ａの幅ａを弾性変形により短くするものであり、スリット１０の幅は、長壁部１０ａの幅ａを弾性変形により嵌合凹部４の長内壁４ａの幅ｂ以下にする範囲から任意に決められる。
【００２６】
接続コネクタ１０には、嵌合凹部４への挿嵌が容易に行えるように嵌合案内部３１を設けることが好ましい。
嵌合案内部３１は、どのように構成してもよく、例えば、両長壁部１２ａの先端部（嵌合方向先端部）の側端部に、図１２及び図１３に示すように、嵌合凹部４内へと案内する傾斜面３２をそれぞれ形成して構成するようにしてもよい。傾斜面３２の先端部間の幅ｃは、対応する嵌合凹部４の長内壁４ａ間の幅（間隔）ｂより小さく形成するようにする。この傾斜面３２と共に、両短壁部１０ｂの先端部の側端部に、ほぼ同様に嵌合凹部４内へと案内する傾斜面をそれぞれ形成することが好ましい。
傾斜面３２の形状は、例えば、ＲやＣ面（平面）状に形成される。
【００２７】
また、嵌合案内部３１としては、例えば図１４及び図１５に示すように、長壁部１０ａの平面部（断面直線状の部分）１０ｃの形状のみを案内形状に形成して構成するようにしてもよい。すなわち、図１４に示すように、長壁部１０ａの平面部１０ｃの先端部を嵌合方向とほぼ平行に延在する平面状に形成すると共に、残りの部分を先端部にいくに連れてそれぞれ内方に漸次傾斜する傾斜面３３として形成して、嵌合案内部３１を構成するようにしてもよい。また、図１５に示すように、長壁部１０ａの平面部１０ｃの嵌合方向のほぼ中央部又はほぼ中央部より先端部側に段差３４を設けると共に、この段差３４の先端部側を先端部側に漸次傾斜させた傾斜面３５にして、嵌合案内部３１を構成するようにしてもよい。また、長壁部１０ａの平面部１０ｃに段差（図示せず）を２段以上例えば２段設けて、嵌合案内部３１を構成するようにしてもよい。これら段差の位置は、好ましくは、嵌合方向のほぼ中央部から先端部とは反対側である。これらのように、長壁部１０ａの平面部１０ｃを案内形状に形成した場合には、先端部の長壁部１０ａの幅は、対応する嵌合凹部４の長内壁４ａ間の幅（間隔）ｂより小さく形成するようにする。
【００２８】
また、嵌合案内部３１としては、両長壁部１０ａ全体を先端部にいくに連れてそれぞれ内方に傾斜するように形成して構成するようにしてもよい。この長壁部１０ａの先端部間の幅は、対応する嵌合凹部４の長内壁４ａ間の幅（間隔）ｂより小さく形成するようにする。この傾斜と共に、両短壁部１０ｂ全体も先端部にいくに連れてそれぞれ内方に傾斜するように形成することが好ましい。
【００２９】
また、嵌合案内部３１としては、両長壁部１０ａに段差（図示せず）を１段又は２段以上設けて構成するようにしてもよい。このように段差を設ける場合には、先端部の長壁部１０ａの幅は、対応する嵌合凹部４の長内壁４ａ間の幅（間隔）ｂより小さく形成するようにする。この段差と共に、両短壁部１０ｂにも同様に段差を１段又は２段以上設けることが好ましい。
また、段差を設けた場合には、段差が設けられた部分を漸次傾斜させた傾斜面を設けるようにしてもよく、このように傾斜面を設けることにより、段差の部分がスムーズに嵌合凹部４内に挿入されることになる。
【００３０】
また、本体５は、図１乃至図３に示すように、単４乾電池を３本収容する電池収容部１１を有する第１ケース３７と、第２ケース３８とからなる。このとき、接続コネクタ１０も、第１コネクタ３９と第２コネクタ４０とに２分割し、第１コネクタ３９を第１ケース３７に、第２コネクタ４０を第２ケース３８にそれぞれ一体的に設けるようにすることが好ましい。。
第１ケース３７と蓋７及び第２ケース３８とは、本体５の厚さ方向のほぼ中央部から分割した形状に形成されるが、他の箇所から分割した形状に形成してもよい。
【００３１】
第１ケース３７には、電池収容部１１と、プラス及びマイナス端子１７、１８の端子基部２１、２２を収容する端子部４１とが設けられている。
電池収容部１１は、３本の単４乾電池８ａ、８ｂ、８ｃを並列に収容する断面ほぼ凹状に形成されている。
電池収容部１１を形成する接続コネクタ１０側の第１壁部４２には、第１乾電池８ａが位置される端部側から他方の端部側にかけて第１、第２、第３、第４仕切壁４３、４４、４５、４６が対向する第２壁部４７側に向って突出している。第１、第４仕切壁４３、４６は、第１壁部４２の両端部に配設されていると共に、第２、第３仕切壁４４、４５は、収容される単４乾電池８ａ、８ｂ、８ｃ間をほぼ仕切る位置に配設されている。これら第１乃至第４仕切壁４３、４４、４５、４６は、それぞれ電池収容部１１の深さ方向に沿って延在している。
【００３２】
第３仕切壁４５の延出端部４５ａは、第２仕切壁４４側にほぼ直交する方向に沿ってほぼコ字状に折り返された形状に形成されており、第１連結端子１２のプラス接触部１４が係止されるようになっている。また、第１仕切壁４３の延出端部及び第２仕切壁４４の延出端部をそれぞれ第２仕切壁４４及び第１仕切壁４３側にほぼ直交する方向に沿ってほぼコ字状に折り返した形状に形成して、プラス端子１７のプラス接触部１９を係止するようにしてもよい。また、第３仕切壁４５の延出端部及び第４仕切壁４６の延出端部をそれぞれ第４仕切壁４６及び第３仕切壁４５側にほぼ直交する方向に沿ってほぼコ字状に折り返した形状に形成して、マイナス端子１８のマイナス接触部２０を係止するようにしてもよい。
【００３３】
第１、第２仕切壁４３、４４間及び第３、第４仕切壁４５、４６間の第１側壁４２の上部は、他の第１側壁４２の上部より高さが低い凹部４８、４９として形成されており、プラス接触部１９及びマイナス接触部２０の第１側壁４２の長手方向の移動が防止されるようになっている。
【００３４】
第２壁部４７には、第１乾電池８ａが位置される端部側から他方の端部側にかけて第１、第２、第３仕切壁５０、５１、５２が第１側壁４２側に向って突出している。第１、第３仕切壁５０、５２は、第２側壁４７の両端部に配設されていると共に、第２仕切壁５１は、第１乾電池８ａと第２乾電池８ｂとの間をほぼ仕切る位置に配設されている。これら第１乃至第３仕切壁５０、５１、５２は、それぞれ電池収容部１１の深さ方向に沿って延在している。
【００３５】
第１仕切壁５０の延出端部５０ａは、第２仕切壁５１側にほぼ直交する方向に沿ってほぼコ字状に折り返された形状に形成されており、第１連結端子１２のマイナス接触部１３が係止されるようになっている。第２仕切壁５１の延出端部５１ａ及び第３仕切壁５２の延出端部５２ａは、第３仕切壁５２及び第２仕切壁５１側にほぼ直交する方向に沿ってほぼコ字状に折り返された形状にそれぞれ形成されており、第２連結端子１６が係止されるようになっている。
【００３６】
第２壁部４７は、第１ケース３７の周壁３７ａより延出して形成されている。この第２壁部４７の延出部の第１壁部４２と反対側の表面の例えば両端部近傍には、それぞれ蓋係合凹部（図示せず）が設けられている
また、電池収容部（第１ケース３７）の底面の乾電池８ａ、８ｂ、８ｃ間の位置には、収容した乾電池８ａ、８ｂ、８ｃの長手方向にほぼ直交する方向への移動を防止する例えばほぼ三角形状の移動防止部（図示せず）を設けるようにしてもよい。また、電池収容部１１の底面には、乾電池８をプラス極とマイナス極とが逆に収容されないようにプラス電極やマイナス電極を示す＋や−等を表示することが好ましい。
【００３７】
第１ケース３７の取付面９となる第１取付面５３と電池収容部１１との間には、端子部４１が設けられている。端子部４１は、プラス及びマイナス端子１７、１８の端子基部２１、２２を収容するものであり、電池収容部１１の第１壁部４２と第１取付面５３と両収容壁部５４、５５とでほぼ台形状に形成されている。両収容壁部５４、５５の内壁には、本体５の厚み方向に沿って延出する係止突起５６、５７が設けられている。
【００３８】
第１取付面５３は、ケース３７の長手方向の厚みが肉厚に形成されていると共に、長さが第１壁部４２より短く接続コネクタ１０の長さより長く形成されている。第１取付面５３には、プラス及びマイナス端子１７、１８の接触端子２３、２４を収容する端子収容孔２８が設けられている。
この第１取付面５３に第１コネクタ３９が一体的に設けられ、この第１コネクタ３９に、第１コネクタ３９と第２コネクタ４０とを合わせたときスリット３０が形成されるようにＬ状に切欠部５８を設けるようにしてもよい。つまり、スリット３０を形成する２つのスリット壁部が分割された別々の第１、第２コネクタ３９、４０に形成されるようにすることが好ましい。また、切欠部５８は、第２コネクタ４０に設けてもよいし、第１、第２コネクタ３９、４０の両方に設けるようにしてもよい。
【００３９】
第２ケース３８及び蓋７の外形は、接続コネクタ１０を除いて第１ケース３７とほぼ同じ外形に形成されている。第２ケース３８及び蓋７は、第１ケース３７の第１壁部４２の第２壁部４７近傍を境目として分割される形状にそれぞれ形成されている。すなわち、第２ケース３８は、ほぼ台形状に形成されると共に、第２コネクタ４０が一体的に設けられている。第２ケース３８の裏面には、第２ケース３８を第１ケース３７に合わせて取り付けたとき、第１壁部４２の上部に近接するように壁部（図示せず）が設けられていると共に、第２取付面（図示せず）が第１取付面５３とほぼ同じ肉厚に形成されている。また、第２ケース３８の両収容壁部６０、６１の内壁には、第１ケース３７の係止突起５６、５７と係合する係合部（図示せず）が設けられており、第２ケース３８を第１ケース３７に合わせて係止突起５６、５７と係合部とを係合することで、図１に示すように、第２ケース３８が第１ケース３７に係止される（取り付けられる）ようになっている。
また、第２ケース３８の裏面の壁部より端部側には、蓋係合部が設けられている。
【００４０】
蓋７は、平面視ほぼ矩形状であって、第２ケース３８側が開放されたほぼ凹状に形成されている。蓋７の第２ケース３８の端部に当接する開放端部の内側には、蓋係合部に係合する蓋係合突起６２が設けられている。蓋７の開放端部と対向する蓋側壁の内壁には、第２壁部の蓋係合凹部に係合する蓋突起（図示せず）が設けられており、蓋の残りの両蓋側壁６３、６４を第１ケース３７の両側壁面３７ｂ、３７ｃに当接させて蓋７を第２ケース３８側にスライドさせることにより、蓋係合突起６２と第２ケース３８の蓋係合部とが係合すると共に、蓋突起と第１ケース３７の第２壁部４７の蓋係合凹部とが係合して、蓋３７が着脱自在に係止されるようになっている。
【００４１】
なお、蓋７の裏面の乾電池８ａ、８ｂ、８ｃ間の位置には、収容した乾電池８ａ、８ｂ、８ｃの長手方向にほぼ直交する方向への移動を防止する例えばほぼ三角形状の移動防止部（図示せず）を設けるようにしてもよい。
また、第１ケース３７の蓋７が当接する側壁面３７ｂ、３７ｃの内側には、リブを立設して蓋７の位置決めを容易に行えるようにしてもよい。
また、第１、第２ケース３７、３８の端子部の幅方向ほぼ中央部には、第１、第２ケース３７、３８の取付が強固になるように、突部（図示せず）及びその突部が挿入される突部挿入穴（図示せず）を設けるようにしてもよい。
【００４２】
さて、このレスキュ電源ホルダー１を製造するには、図２に示すように、まず、第１ケース３７に第１、第２連結端子１２、１６及びプラス、マイナス端子１７、１８を取り付ける。具体的には、第１連結端子１２のプラス接触部１４を、電池収容部１１の第１壁部４２の第２、第３仕切壁４４、４５間の第２壁部側の表面であって延出端部４５ａとの間に挿入すると共に、マイナス接触部１３を、第２壁部４７の第１、第２仕切壁５０、５１間の表面であって延出端部５０ａとの間に挿入する。これにより、第１連結端子１２が第１ケース３７に取り付けられる。
【００４３】
第２連結端子は、第２壁部４７の第２、第３仕切壁５１、５２間の表面であって延出端部５１ａ、５２ａとの間に挿入することにより、第１ケース３７に取り付けられる。
【００４４】
プラス、マイナス端子１７、１８は、プラス、マイナス接触部１９、２０を第１壁部４２の凹部４８、４９に被せると共に、端子基部２１、２２を端子部に収容させ、かつ、接触端子２３、２４を端子収容孔に収容する。これにより、プラス、マイナス端子１７、１８が第１ケース３７に取り付けられると共に、延出部２５、２６が端子収容部２９に収容される。
【００４５】
そして、この第１ケース３７に第２ケース３８を取り付ける。具体的には、第２ケース３８の両収容壁部６０、６１を端子部４１を形成する第１ケースの両収容壁部５４、５５に合わせることにより、係止突起５６、５７と係合部とが係合して第２ケース３８が第１ケース３７に係止される（取り付けられる）。
この第１ケース３７の両側壁面３７ｂ、３７ｃに、蓋７の両蓋側壁６３、６４を当接させて蓋７を第２ケース３８側にスライドさせることにより、蓋係合突起６２と第２ケース３８の蓋係合部とが係合すると共に、蓋突起と第１ケース３７の第２壁部４７の蓋係合凹部とが係合して、蓋７が係止される。これによって、本発明のレスキュ電源ホルダー１が得られる。
【００４６】
したがって、本発明のレスキュ電源ホルダー１は、本体５、蓋７、接続コネクタ１０、第１、第２連結端子１２、１６、プラス端子１７、マイナス端子１８から得られるため、部品点数を少なくすることができると共に簡単に製造することができ、コストダウンを実現することができる。このように、本発明のレスキュ電源ホルダー１は、電池を付属していないので、コストを低減することができ、低価格ショップ、例えば１００円ショップ向けの商品として最適なものである。
【００４７】
このレスキュ電源ホルダー１を用いて携帯電話機２の充電を行うには、図３に示すように、蓋７を本体５（第１、第２ケース３７、３８）から取り外して、この本体５（第１ケース３７）の電池収容部１１に３本の単４乾電池８ａ、８ｂ、８ｃを収容する。このように、３本の単４乾電池８ａ、８ｂ、８ｃを収容することにより、収容された３本の単４乾電池８ａ、８ｂ、８ｃは第１、第２連結端子１２、１６によって直列に接続される。収容後、取り外した蓋７を本体５（第１、第２ケース３７、３８）に取り付ける。
そして、図１に示すように、携帯電話機２のインターフェイスコネクタ３の嵌合凹部４とレスキュ電源ホルダー１の接続コネクタ１０とをつき合わせて、接続コネクタ１０を嵌合凹部４内に挿入する。
【００４８】
このとき、接続コネクタ１０の長壁部１０ａの幅ａは、対応する嵌合凹部４の長内壁４ａの幅ｂより大きく形成されているが、スリット３０が設けられているので、接続コネクタ１０は嵌合凹部４内へと挿入されて嵌合される。この接続コネクタ１０に嵌合案内部３１が設けられていることにより、接続コネクタ１０は嵌合凹部４内へと容易に案内挿入される。よって、簡単な構造で、接続コネクタ１０を容易にインターフェイスコネクタ３に嵌合させて電気的に接続させることができる。
【００４９】
このように、嵌合凹部４内に先端部が挿入された接続コネクタ１０を嵌合方向前方に押し込むと、接続コネクタ１０は、嵌合凹部４を形成する壁に接触してその押圧力によりスリット３０を介して弾性変形しつつ嵌合凹部４内に挿入されて嵌合される。つまり、スリット３０の幅が狭く（長内壁１０ａの幅ａが狭く）なりながら接続コネクタ１０は嵌合凹部４内に挿入されて嵌合されることにより、インターフェイスコネクタ３の端子部が接続コネクタ１０の端子凹部２７に挿入されて嵌合し、端子部の内蔵電池の外部出入力端子とプラス及びマイナス端子１７、１８の延出部２５、２６とが電気的に接続されて、携帯電話機２の内蔵電池（バッテリー）の充電が行われる。
【００５０】
このとき、接続コネクタ１０は、嵌合凹部４内で付勢力により元の形状に戻ろうとして、嵌合凹部４を形成する内壁４ａに当接しているので、接続コネクタ１０がインターフェイスコネクタ３の嵌合凹部４に係止される。
従って、板ばね等の係止部材を接続コネクタ１０に取り付けることなく、接続コネクタ１０をインターフェイスコネクタ３に係止させることができるため、係止部材の取付作業が不要であると共に別途の係止部材を必要とせず、より簡単にかつより低コストでレスキュ電源ホルダー１を製造することができる。
【００５１】
また、嵌合凹部４内で付勢力により元の形状に戻ろうとして、嵌合凹部４の内壁４ａに当接する壁部は、長壁部１０ａで面積が大きいため、長壁部１０ａと嵌合凹部４の内壁４ａとの摩擦力も大きくなる（短壁部１０ｂが接触している場合に比して）ので、接続コネクタ１０が嵌合凹部４から一層抜け難くなり、接続コネクタ１０をインターフェイスコネクタ３により確実に係止することができる。
【００５２】
また、第１、第２接続コネクタ３９、４０を合わせることにより、スリット３０が形成されるので、形ができあがっているものにスリット３０を形成する場合に比して、例えば、Ｌ状に切り欠くだけの簡単な作業や型に入れて大量生産でスリット３０を形成することができる。
【００５３】
また、本体５が、第１コネクタ３９が一体的に形成されている第１ケース３７と、第２コネクタ４０が一体的に形成されている第２ケース３８とからなることにより、一層簡単に製造することができ、より一層低コスト化を図れる。
【００５４】
図４及び図５は、本発明の第２の携帯電話機用レスキュ電源ホルダーの一例を示す図であり、図６乃至図８は、本発明の第２の携帯電話機用レスキュ電源ホルダーの他の例を示す図である。第２の携帯電話機用レスキュ電源ホルダーは、単４乾電池を４本直列接続するものである。なお、前記第１のレスキュ電源ホルダー１と同一構成部分には同一名称を付しその説明を省略する。また、単４乾電池８に特定されるものではなく、単３乾電池でも第１乾電池でも単２乾電池でもよいが、単４乾電池８と単３乾電池とが好ましい。
【００５５】
図４及び図５に示すように、レスキュ電源ホルダー６５の本体６６は、その本体６６の開口部を開閉する蓋６７と共に、４本の市販されている単４乾電池８を４本縦横２列に収容し得るようにほぼ矩形の箱状に形成されている。なお、本体６６の乾電池の収容状態は、４本を縦横２列に限定されるものではなく、４本を並列に収容したり、２本を直列に接続したものを並列にしたり、その他の収容状態にしてもよい。
この本体６６の長手方向の一方の面（取付面）に接続コネクタ１０が一体的に設けられている。本体６６、蓋６７及び接続コネクタ１０の材質は、どのようなものでもよく、絶縁材料、例えばプラスチック等の合成樹脂が用いられる。
【００５６】
本体６６内には、第１、第３乾電池８ｄ、８ｆをプラス極が接続コネクタ１０側になるように収容すると共に、第２、第４乾電池８ｅ、８ｇをマイナス極が接続コネクタ１０側になるように収容する電池収容部６８が設けられている。
【００５７】
本体６６内には、第１乾電池８ｄのマイナス極と第２乾電池８ｅのプラス極とを接続する第１連結端子６９、第２乾電池８ｅのマイナス極と第３乾電池８ｆのプラス極とを接続する第２連結端子７０、及び第３乾電池８ｆのマイナス極と第４乾電池８ｇのプラス極とを接続する第３連結端子７１が取り付けられている。
また、本体６６内には、第１乾電池８ｄのプラス極と接続されるプラス端子７２、及び第４乾電池８ｇのマイナス極と接続されるマイナス端子７３が取り付けられている。
【００５８】
また、本体６６は、単４乾電池８を４本収容する電池収容部６８を有する第１ケース７４と、第２ケース７５とからなる。このとき、接続コネクタ１０も、第１コネクタ３９と第２コネクタ４０とに２分割し、第１コネクタ３９を第１ケース７４に、第２コネクタ４０を第２ケース７５にそれぞれ一体的に設けられている。
【００５９】
また、単４乾電池８ｄ、８ｅ、８ｆ、８ｇを４本直列に接続した出力電圧が、充電を行う携帯電話機２の内蔵電池を充電し得る充電許容電圧であればよいが、その出力電圧が充電許容電圧でないとき、つまり、携帯電話機２の内蔵電池の充電を行えないときには、本体５内に図６及び図７に示すように、電圧調節部１００を設けることが好ましい。
【００６０】
電圧調節部１００は、単４乾電池８ｄ、８ｅ、８ｆ、８ｇを４本直列に接続した出力電圧を、充電を行う携帯電話機機の内蔵電池の充電許容電圧に調節するものであり、例えば、ダイオード、抵抗、レギュレータ、昇圧回路等により構成される。具体的には例えば、電圧調節部１００は、単４乾電池８ｄ、８ｅ、８ｆ、８ｇを４本直列に接続した出力電圧が充電許容電圧より高い場合には、図６に示すように、プラス端子７２を分割してダイオード１０１で接続すると共に、マイナス端子７３を分割して抵抗１０２で接続して構成するようにしてもよい。
【００６１】
また、電圧調節部１００は、出力電圧が充電許容電圧でない場合には、それを検出して出力電圧が充電許容電圧になるように調節する調節制御回路１０３を有するようにしてもよい。具体的には例えば、図７に示すように、調節制御回路１０３は、プラス端子７２及びマイナス端子７３に接続して、電圧調節部１００を構成するようにしてもよい。
調節制御回路１０３は、例えば、単４乾電池８が一次電池（出力電圧が約１．５Ｖ（±０．３Ｖ））と二次電池（出力電圧が約１．２Ｖ（±０．３Ｖ））とでは出力電圧が異なるため、一次電池を用いた場合と二次電池を用いた場合とではどちらか一方の出力電圧が充電許容電圧にならないときがあるので、その場合に出力電圧が充電許容電圧になるように調節するように構成される。つまり、調節制御回路１０３は、例えば、一次電池を使用した場合では携帯電話機２の内蔵電池の充電を行えるが、二次電池を使用した場合では携帯電話機２の内蔵電池の充電を行えない場合があるので、一次電池と二次電池との両方で携帯電話機２の内蔵電池の充電を行えるようにするためのものである。
【００６２】
接続コネクタ１０は、図４乃至図７に示すように、本体６６に一体的に設けたが、図８に示すように、本体２０１に個別に設けるようにしてもよい。この場合、接続コネクタ１０は、第１ケース２０２の接続コネクタ取付部２０３と第２ケース２０４の接続コネクタ取付部２０５とに挟持されて固定される（設けられる）ようになっている。
【００６３】
このように構成しても前述と同様の作用効果を奏する。
すなわち、まず、第１ケース７４、２０２の第１壁部７６及び第２壁部７７に、図５乃至図８に示すように、第２、第１、第３連結端子７０、６９、７１及びプラス、マイナス端子７２、７３を取り付ける。なお、接続コネクタ１０を個別に設ける場合には、図８に示すように、プラス、マイナス端子７２、７３の先端部を接続コネクタ１０に挿入した状態で、プラス、マイナス端子７２、７３を第１壁部７６に取り付けると共に、接続コネクタ１０を第１ケース２０２の接続コネクタ取付部２０３に位置させる。
【００６４】
この第１ケース７４、２０２に、図５乃至図８に示すように、第２ケース７５、２０４を合わせることにより、第２ケース７５の係止突起７８と第１ケース７４の係合部とが係合して第２ケース７５が第１ケース７４に係止される（取り付けられる）。このとき、接続コネクタ１０を個別に設ける場合には、図８に示すように、接続コネクタ１０は、第１ケース２０２の接続コネクタ取付部２０３と第２ケース２０４の接続コネクタ取付部２０５とに挟持されて固定される。
【００６５】
この第１ケース７４の両側壁面７４ａ、７４ｂに、図５乃至図８に示すように、蓋６７の両蓋側壁６７ａ、６７ｂを当接させて蓋６７を第２ケース７５側にスライドさせることにより、蓋係合突起７８と第２ケース７５の蓋係合部とが係合すると共に、蓋突起と第１ケース７４の第２壁部７７の蓋係合凹部とが係合して、蓋７５が係止される。これによって、本発明の第３のレスキュ電源ホルダー６５が得られる。
【００６６】
したがって、本発明の第３のレスキュ電源ホルダー６５は、本体６６、蓋６７、接続コネクタ１０、第１、第２、第３連結端子６９、７０、７１、プラス端子７２、マイナス端子７３から得られるため、部品点数を少なくすることができると共に簡単に製造することができ、コストダウンを実現することができる。このように、本発明のレスキュ電源ホルダー６５は、電池を付属していないので、コストを低減することができ、低価格ショップ、例えば１００円ショップ向けの商品として最適なものである。
【００６７】
このレスキュ電源ホルダー６５を用いて携帯電話機２の充電を行うには、蓋６７を本体６６から取り外して、この本体６６（第１ケース７４、２０２）の電池収容部６８に４本の単４乾電池８ｄ、８ｅ、８ｆ、８ｇを収容する。このように、４本の単４乾電池８ｄ、８ｅ、８ｆ、８ｇを収容することにより、収容された４本の単４乾電池８ｄ、８ｅ、８ｆ、８ｇは第１、第２、第３連結端子６９、７０、７１によって直列に接続される。収容後、取り外した蓋６７を本体６６に取り付ける。
そして、携帯電話機２のインターフェイスコネクタ３の嵌合凹部４とレスキュ電源ホルダー６５の接続コネクタ１０とをつき合わせて、接続コネクタ１０を嵌合凹部４内に挿入する。
【００６８】
このとき、接続コネクタ１０の長壁部１０ａの幅ａは、対応する嵌合凹部４の長内壁４ａの幅ｂより大きく形成されているが、スリット３０が設けられているので、接続コネクタ１０は嵌合凹部４内へと挿入されて嵌合される。この接続コネクタ１０に嵌合案内部３１が設けられていることにより、接続コネクタ１０は嵌合凹部４内へと容易に案内挿入される。よって、簡単な構造で、接続コネクタ１０を容易にインターフェイスコネクタ３に嵌合させて電気的に接続させることができる。
【００６９】
このように、嵌合凹部４内に先端部が挿入された接続コネクタ１０を嵌合方向前方に押し込むと、接続コネクタ１０は、嵌合凹部４を形成する壁に接触してその押圧力によりスリット３０を介して弾性変形しつつ嵌合凹部４内に挿入されて嵌合される。つまり、スリット３０の幅が狭く（長内壁１０ａの幅ａが狭く）なりながら接続コネクタ１０は嵌合凹部４内に挿入されて嵌合されることにより、インターフェイスコネクタ３の端子部が接続コネクタ１０の端子凹部２７に挿入されて嵌合し、端子部の内蔵電池の外部出入力端子とプラス及びマイナス端子７２、７３とが電気的に接続される。
【００７０】
単４乾電池８ｄ、８ｅ、８ｆ、８ｇを４本直列に接続した出力電圧が、充電を行う携帯電話機２の内蔵電池を充電し得る充電許容電圧でないとき、本体５内に、例えば、図６に示すように、ダイオード１０１及び抵抗１０２からなる電圧調節部１００を設けることにより、出力電圧が充電許容電圧になるように調節される。
【００７１】
また、電圧調節部１００が、図７に示すように、調節制御回路１０３より構成されていると、例えば、単４乾電池８が一次電池（出力電圧が約１．５Ｖ（±０．３Ｖ））と二次電池（出力電圧が約１．２Ｖ（±０．３Ｖ））とでは出力電圧が異なるため、一次電池を用いた場合と二次電池を用いた場合とではどちらか一方の出力電圧が充電許容電圧にならないときがあるが、この場合は調節制御回路１０３により出力電圧が充電許容電圧になるように調節される。つまり、一次電池と二次電池との両方を用いても電池の出力電圧に関係なく調節制御回路１０３により出力電圧が充電許容電圧になるように調節される。
【００７２】
よって、端子部の内蔵電池の外部出入力端子とプラス及びマイナス端子７２、７３とが電気的に接続されることにより、携帯電話機２の内蔵電池（バッテリー）の充電が行われる。
【００７３】
また、接続コネクタ１０は、嵌合凹部４内で付勢力により元の形状に戻ろうとして、嵌合凹部４を形成する内壁４ａに当接しているので、接続コネクタ１０がインターフェイスコネクタ３の嵌合凹部４に係止される。
このように、板ばね等の係止部材を接続コネクタ１０に取り付けることなく、接続コネクタ１０をインターフェイスコネクタ３に係止させることができるため、係止部材の取付作業が不要であると共に別途の係止部材を必要とせず、より簡単にかつより低コストでレスキュ電源ホルダー６５を製造することができる。
【００７４】
また、嵌合凹部４内で付勢力により元の形状に戻ろうとして、嵌合凹部４の内壁４ａに当接する壁部は、長壁部１０ａで面積が大きいため、長壁部１０ａと嵌合凹部４の内壁４ａとの摩擦力も大きくなる（短壁部１０ｂが接触している場合に比して）ので、接続コネクタ１０が嵌合凹部４から一層抜け難くなり、接続コネクタ１０をインターフェイスコネクタ３により確実に係止することができる。
【００７５】
また、第１、第２接続コネクタ３９、４０を合わせることにより、スリット３０が形成されるので、形ができあがっているものにスリット３０を形成する場合に比して、例えば、Ｌ状に切り欠くだけの簡単な作業や型に入れて大量生産でスリット３０を形成することができる。
【００７６】
また、本体６６が、第１コネクタ３９が一体的に形成されている第１ケース７４と、第２コネクタ４０が一体的に形成されている第２ケース７５とからなることにより、一層簡単に製造することができ、より一層低コスト化を図れる。
【００７７】
図９乃至図１１は、本発明の第３の携帯電話機用レスキュ電源ホルダーが示されている図である。第３の携帯電話機用レスキュ電源ホルダーは、図示するように、接続コネクタ１０をケーブル３０１を介して本体３０２に接続した（設けた）ことを特徴とするものである。
すなわち、第３の携帯電話機用レスキュ電源ホルダー３００の接続コネクタ１０は、接続コネクタ取付体３０３に一体的に設けられている。この接続コネクタ取付体３０３には、ケーブル３０１が電気的に接続され、このケーブル３０１が本体３０２に電気的に接続されている。
【００７８】
本体３０２は、付属しない市販乾電池３０４を収容するが、この市販乾電池３０４としては、単１乾電池、単２乾電池、単３乾電池又は単４乾電池が好ましく、特に好ましくは単３乾電池又は単４乾電池である。これら乾電池は、一次電池でも二次電池でもよく、具体的には例えば、マンガン電池、アルカリ電池などの一次電池やニッケル水素電池、ニカド電池などの充電可能な二次電池等である。
市販乾電池３０４の数は、特に限定されないが、好ましくは３本以上で、特に好ましくは３本又は４本である。
市販乾電池３０４の接続及び収容状態も特に限定されないが、好ましくは、３本又は４本の単３乾電池又は単４乾電池が直列に接続されるように収容することがよい。
具体的には例えば、本体３０２は、図９に示すように、４本の市販乾電池３０４を縦横２列に収容し得るように構成したり、図１０に示すように、４本の市販乾電池３０４を並列に収容し得るように構成したり、２本の市販乾電池３０４を直列に接続したものを２つ並列に収容し得るように構成したり、すること等が挙げられる。
第３の携帯電話機用レスキュ電源ホルダー３００のその他の基本的な構造は、前述の第１及び第２の携帯電話機用レスキュ電源ホルダーと同じであるので、説明を省略する。
【００７９】
このように構成しても前述とほぼ同様の作用効果を奏する。
すなわち、まず、第１ケース３１０、３１１、３１２の第１壁部及び第２壁部に、第２、第１、第３連結端子及びプラス、マイナス端子３１３、３１４を取り付ける。プラス、マイナス端子３１３、３１４には、例えば電圧調節部３１５を介してケーブル３０１が接続されている。
【００８０】
この第１ケース３１０、３１１、３１２に、第２ケース３２０、３２１、３２２を合わせることにより、第２ケース３２０、３２１、３２２の係止突起と第１ケース３１０、３１１、３１２の係合部とが係合して第２ケース３２０、３２１、３２２が第１ケース３１０、３１１、３１２に係止される（取り付けられる）。このとき、ケーブル３０１が第１ケース３１０、３１１、３１２と第２ケース３２０、３２１、３２２とによって挟持されて固定される。
【００８１】
この第１ケース３１０、３１１、３１２の両側壁面に、蓋３３０、３３１の両蓋側壁を当接させて蓋を第２ケース３２０、３２１、３２２側にスライドさせることにより、蓋係合突起３３２と第２ケース３２０、３２１、３２２の蓋係合部とが係合すると共に、蓋突起と第１ケース３１０、３１１、３１２の第２壁部の蓋係合凹部とが係合して、蓋が係止される。これによって、本発明の第３のレスキュ電源ホルダー３００が得られる。
【００８２】
したがって、本発明の第３のレスキュ電源ホルダー３００は、本体３０２、蓋３３０、３３１、接続コネクタ１０、ケーブル３０１、第１、第２、第３連結端子、プラス端子３１３、マイナス端子３１４から得られるため、部品点数を少なくすることができると共に簡単に製造することができ、コストダウンを実現することができる。このように、本発明のレスキュ電源ホルダー３００は、電池を付属していないので、コストを低減することができ、低価格ショップ、例えば１００円ショップ向けの商品として最適なものである。
【００８３】
このレスキュ電源ホルダー３００を用いて携帯電話機２の充電を行うには、蓋を本体から取り外して、この本体３０２（第１ケース３１０、３１１、３１２）の電池収容部に４本の市販乾電池３０４を収容する。このように、４本の市販乾電池３０４を収容することにより、収容された４本の市販乾電池３０４は第１、第２、第３連結端子によって直列に接続される。収容後、取り外した蓋３３０、３３１を本体３０２に取り付ける。
そして、携帯電話機２のインターフェイスコネクタ３の嵌合凹部４とレスキュ電源ホルダー３００の接続コネクタ１０とをつき合わせて、接続コネクタ１０を嵌合凹部４内に挿入する。
【００８４】
このとき、接続コネクタ１０の長壁部１０ａの幅ａは、対応する嵌合凹部４の長内壁４ａの幅ｂより大きく形成されているが、スリット３０が設けられているので、接続コネクタ１０は嵌合凹部４内へと挿入されて嵌合される。この接続コネクタ１０に嵌合案内部３１が設けられていることにより、接続コネクタ１０は嵌合凹部４内へと容易に案内挿入される。よって、簡単な構造で、接続コネクタ１０を容易にインターフェイスコネクタ３に嵌合させて電気的に接続させることができる。
【００８５】
このように、嵌合凹部４内に先端部が挿入された接続コネクタ１０を嵌合方向前方に押し込むと、接続コネクタ１０は、嵌合凹部４を形成する壁に接触してその押圧力によりスリット３０を介して弾性変形しつつ嵌合凹部４内に挿入されて嵌合される。つまり、スリット３０の幅が狭く（長内壁１０ａの幅ａが狭く）なりながら接続コネクタ１０は嵌合凹部４内に挿入されて嵌合されることにより、インターフェイスコネクタ３の端子部が接続コネクタ１０の端子凹部２７に挿入されて嵌合し、端子部の内蔵電池の外部出入力端子とプラス及びマイナス端子７２、７３とが電気的に接続される。
【００８６】
市販乾電池３０４を４本直列に接続した出力電圧が、充電を行う携帯電話機２の内蔵電池を充電し得る充電許容電圧でないとき、本体内に、例えば、図６に示すのと同様に、ダイオード１０１及び抵抗１０２からなる電圧調節部１００を設けることにより、出力電圧が充電許容電圧になるように調節される。
【００８７】
また、電圧調節部１００が、図７に示すのと同様に、調節制御回路１０３より構成されていると、例えば、単４乾電池８が一次電池（出力電圧が約１．５Ｖ（±０．３Ｖ））と二次電池（出力電圧が約１．２Ｖ（±０．３Ｖ））とでは出力電圧が異なるため、一次電池を用いた場合と二次電池を用いた場合とではどちらか一方の出力電圧が充電許容電圧にならないときがあるが、この場合は調節制御回路１０３により出力電圧が充電許容電圧になるように調節される。つまり、一次電池と二次電池との両方を用いても電池の出力電圧に関係なく調節制御回路１０３により出力電圧が充電許容電圧になるように調節される。
【００８８】
よって、端子部の内蔵電池の外部出入力端子とプラス及びマイナス端子とが電気的に接続されることにより、携帯電話機２の内蔵電池（バッテリー）の充電が行われる。
【００８９】
また、接続コネクタ１０は、嵌合凹部４内で付勢力により元の形状に戻ろうとして、嵌合凹部４を形成する内壁４ａに当接しているので、接続コネクタ１０がインターフェイスコネクタ３の嵌合凹部４に係止される。
このように、板ばね等の係止部材を接続コネクタ１０に取り付けることなく、接続コネクタ１０をインターフェイスコネクタ３に係止させることができるため、係止部材の取付作業が不要であると共に別途の係止部材を必要とせず、より簡単にかつより低コストでレスキュ電源ホルダー３００を製造することができる。
【００９０】
また、嵌合凹部４内で付勢力により元の形状に戻ろうとして、嵌合凹部４の内壁４ａに当接する壁部は、長壁部１０ａで面積が大きいため、長壁部１０ａと嵌合凹部４の内壁４ａとの摩擦力も大きくなる（短壁部１０ｂが接触している場合に比して）ので、接続コネクタ１０が嵌合凹部４から一層抜け難くなり、接続コネクタ１０をインターフェイスコネクタ３により確実に係止することができる。
【００９１】
【発明の効果】
本発明により、コストダウンを実現することができる携帯電話機用レスキュ電源ホルダーが得られる。
【図面の簡単な説明】
【図１】本発明の第１の携帯電話機用レスキュ電源ホルダーの一例を示す斜視図である。
【図２】本発明の第１の携帯電話機用レスキュ電源ホルダーの一例を示す分解斜視図である。
【図３】本発明の第１の携帯電話機用レスキュ電源ホルダーに市販乾電池を収容する状態を示す斜視図である。
【図４】本発明の第２の携帯電話機用レスキュ電源ホルダーの一例を示す斜視図である。
【図５】本発明の第２の携帯電話機用レスキュ電源ホルダーの一例を示す分解斜視図である。
【図６】本発明の第２の携帯電話機用レスキュ電源ホルダーの他の例を示す分解斜視図である。
【図７】本発明の第２の携帯電話機用レスキュ電源ホルダーの他の例を示す分解斜視図である。
【図８】本発明の第２の携帯電話機用レスキュ電源ホルダーの他の例を示す分解斜視図である。
【図９】本発明の第３の携帯電話機用レスキュ電源ホルダーの一例を示す斜視図である。
【図１０】本発明の第３の携帯電話機用レスキュ電源ホルダーの他の例を示す斜視図である。
【図１１】本発明の第３の携帯電話機用レスキュ電源ホルダーの他の例を示す斜視図である。
【図１２】本発明の接続コネクタの一例を示す斜視図である。
【図１３】本発明の接続コネクタと嵌合凹部との関係を示す図である。
【図１４】本発明の他の接続コネクタの一例を示す斜視図である。
【図１５】本発明の他の接続コネクタの一例を示す斜視図である。
【図１６】先に提案されている携帯電話機用充電器を示す斜視図である。
【図１７】先に提案されている携帯電話機用充電器を示す分解斜視図である。
【符号の説明】
１    レスキュー電源ホルダー
２    携帯電話機
３    インターフェイスコネクタ
４    嵌合凹部
５    本体
６    開口部
７    蓋
８    単４乾電池
１０  接続コネクタ
１２  第１連結端子
１６  第２連結端子
１７  プラス端子
１８  マイナス端子
２３  接触端子
２４  接触端子
３０  スリット
３７  第１ケース
３８  第２ケース
３９  第１コネクタ
４０  第２コネクタ
【図１】
2004208261.tif 000003
【図２】
2004208261.tif 000004
【図３】
2004208261.tif 000005
【図４】
2004208261.tif 000006
【図５】
2004208261.tif 000007
【図６】
2004208261.tif 000008
【図７】
2004208261.tif 000009
【図８】
2004208261.tif 000010
【図９】
2004208261.tif 000011
【図１０】
2004208261.tif 000012
【図１１】
2004208261.tif 000013
【図１２】
2004208261.tif 000014
【図１３】
2004208261.tif 000015
【図１４】
2004208261.tif 000016
【図１５】
2004208261.tif 000017
【図１６】
2004208261.tif 000018
【図１７】
2004208261.tif 000019